(57)【要約】【課題】サービスマンは印刷出力を目で確認するとき、期待する画像位置が得られない場合、再度、調整値を設定し、テストパターンを画像形成装置に印刷させなければならない。【解決手段】一実施形態によれば、画像データおよびテストパターンデータを生成する画像処理部２９と、印刷データにより画像又はテストパターンをシートのシート面上に印刷するプリンタ部１５と、シート面上に画像形成される位置を変化させる調整値を記憶する記憶部１４と、調整値に対する変更をユーザ入力により受付ける操作パネル１８と、操作パネル１８からの入力情報により記憶部１４が記憶する調整値を第１の値から第２の値に変更する調整部（メインコントローラ１３）と、設定された第２の値により位置を調整し、第２の値を表す数値文字列をテストパターンとともにプリンタ部１５に印刷させる印刷制御部（メインコントローラ１３）とを備えた画像形成装置が提供される。【選択図】図３
2011042172.tif 000002
【特許請求の範囲】
【請求項１】
画像データおよびテストパターンデータを生成する画像処理部と、
前記画像処理部が出力する印刷データにより画像又はテストパターンをシートのシート面上に印刷するプリンタ部と、
前記プリンタ部が前記シート面上に画像を形成する位置を変化させる調整値を記憶する記憶部と、
前記調整値に対する変更をユーザ入力により受付ける操作パネルと、
前記操作パネルからの入力情報により前記記憶部が記憶する前記調整値を第１の値から第２の値に変更する調整部と、
前記調整部が設定した前記第２の値により前記位置を調整し、前記第２の値を表す数値文字列を前記テストパターンとともに前記プリンタ部に印刷させる印刷制御部とを備えたことを特徴とする画像形成装置。
【請求項２】
前記調整部は複数種類の前記調整値をそれぞれ変更し、前記印刷制御部は各第２の値により前記位置を調整し、前記各第２の値を前記シート面に対して一度に前記プリンタ部に印刷させることを特徴とする請求項１記載の画像形成装置。
【請求項３】
前記調整部は、前記調整値の最大値および最小値の差分を等しい間隔で分割して得られる複数の値のうちのセンタ値、および前記センタ値からシフトしたシフト値の間の変化量を指し示すステップ幅を前記操作パネルから取得し、前記調整値の現在値に前記変化量を加算して得た加算値と、前記現在値から前記変化量を減算して得た減算値とを求めることを特徴とする請求項１記載の画像形成装置。
【請求項４】
シートのシート面上に画像を形成する位置を変化させる調整値の第１の値を記憶部に設定し、
前記第１の値を表す第１の数値文字列を前記テストパターンとともに第１のシート上に印刷し、
操作パネルからの入力情報により前記調整値を前記第１の値から、前記第１の値とは異なる第２の値に変更し、
前記第２の値を表す第２の数値文字列を前記テストパターンとともに第２のシート上に印刷することを特徴とする画像位置調整方法。
【請求項５】
前記調整値の最大値および最小値の差分を等しい間隔で分割して得られる複数の値のうちのセンタ値、および前記センタ値からシフトしたシフト値の間の変化量を指し示すステップ幅を前記操作パネルから入力し、
前記第１の値に前記変化量を加算して得た加算値と、前記第１の値から前記変化量を減算して得た減算値とを求め、
前記加算値あるいは前記減算値を表す前記第２の数値文字列を印刷することを特徴とする請求項４記載の画像位置調整方法。
【発明の詳細な説明】
【技術分野】
【０００１】
一実施形態は画像形成装置及び画像位置調整方法に関する。
【背景技術】
【０００２】
画像形成装置はシートの４辺の余白量を設定する機能を有する。余白量とはシート端と、画像領域の端との間のシート上の距離を指す。
【０００３】
画像形成装置内の外部記憶装置は４辺の余白量の初期値を記憶する。外部記憶装置は、スキャナの読込み倍率や、レーザ露光部の書込み倍率等を記憶する。
【０００４】
シートに対して画像が形成される位置をサービスマンは調整する。余白量や読込み倍率、書込み倍率等は調整値である。調整値はシートに対する画像の位置を変化させる。
【０００５】
調整値を画像形成装置にサービスマンが設定する。設定後、テストパターンをサービスマンは画像形成装置に印刷出力させる。
【０００６】
テストパターンが印刷された結果をサービスマンが見ながら、サービスマンは調整値を設定し直す必要がある。現在画像形成装置に設定されている調整値から、新たに設定すべき調整値をサービスマンはマニュアル計算等により求める。
【０００７】
再度、サービスマンはテストパターンを画像形成装置に印刷させる必要がある。サービスマンは印刷出力を目で確認する必要がある。
【先行技術文献】
【特許文献】
【０００８】
【特許文献１】特開２００２−５９６２６号公報
【発明の概要】
【発明が解決しようとする課題】
【０００９】
しかしながら、確認した結果、期待する画像位置をサービスマンが得られない場合、再度、サービスマンは調整値を設定し、テストパターンを画像形成装置に印刷させなければならない。
【００１０】
複数の画像形成装置の間で、対象の調整値は異なる。機体の個体差により、調整値はばらつく。
【００１１】
調整値を一回又は二回変更しても尚、調整を完了することができない場合、シートの印刷と、調整値の設定とを何度も繰返さなければならない。
【００１２】
調整値の種類は数百項目である。複数の調整値を一つずつ調整する必要がある。調整に時間を要する。
【００１３】
一例として、調整の内容は、画像をシートのフロントエッジに向かって数ミリメートルシフトさせこと、又は画像をリアエッジに向かって数ミリメートルシフトさせることである。
【００１４】
サービスマンは操作パネルに数桁からなるコードを打込む。画像形成装置のモードは調整モードに移行する。
【００１５】
操作パネルは１２８をセンタ値として０〜２５５の範囲の値を表示する。表示値の１変化に対し、画像がシフトする距離をマニュアル（指示書）は単に示す。値は１ミリメートル未満である。値は半端である。値を人が直感的に扱えない。
【００１６】
表示値を増やす、又は減らす必要がある。操作パネル上の数値を変化させる単位をサービスマンはマニュアルにより計算する。操作パネルへの入力数値を求めることはサービスマンにとって手間がかかる。
【課題を解決するための手段】
【００１７】
このような課題を解決するため、一実施形態によれば、画像データおよびテストパターンデータを生成する画像処理部と、前記画像処理部が出力する印刷データにより画像又はテストパターンをシートのシート面上に印刷するプリンタ部と、前記プリンタ部が前記シート面上に画像を形成する位置を変化させる調整値を記憶する記憶部と、前記調整値に対する変更をユーザ入力により受付ける操作パネルと、前記操作パネルからの入力情報により前記記憶部が記憶する前記調整値を第１の値から第２の値に変更する調整部と、前記調整部が設定した前記第２の値により前記位置を調整し、前記第２の値を表す数値文字列を前記テストパターンとともに前記プリンタ部に印刷させる印刷制御部とを備えたことを特徴とする画像形成装置が提供される。
【００１８】
また、別の一実施形態によれば、シートのシート面上に画像を形成する位置を変化させる調整値の第１の値を記憶部に設定し、前記第１の値を表す第１の数値文字列を前記テストパターンとともに第１のシート上に印刷し、操作パネルからの入力情報により前記調整値を前記第１の値から、前記第１の値とは異なる第２の値に変更し、前記第２の値を表す第２の数値文字列を前記テストパターンとともに第２のシート上に印刷することを特徴とする画像位置調整方法が提供される。
【図面の簡単な説明】
【００１９】
【図１】一実施形態に係る画像形成装置の正面図である。
【図２】プリンタ部の拡大図である。
【図３】一実施形態に係る画像形成装置の制御システムのブロック図である。
【図４Ａ】テストパターンを印刷されたシート自体を示す図である。
【図４Ｂ】図４Ａのシート上のテストパターンを説明するための図である。
【図５】１つの調整値を調整するときの自動印刷の処理手順の例を示すフローチャートである。
【図６】（Ａ）〜（Ｃ）は１種類の調整値の印刷出力の例を示す図である。
【図７】（Ａ）〜（Ｃ）は所定ステップ幅の２倍のステップ幅を有するときの調整値の印刷出力の例を示す図である。
【図８】複数の調整値を調整するときの自動印刷の処理手順の例を示すフローチャートである。
【図９】（Ａ）〜（Ｃ）は複数の調整値の印刷出力の例を示す図である。
【図１０】（Ａ）及び（Ｂ）はステップ幅が変えられたときの複数の調整値の印刷出力の例を示す図である。
【発明を実施するための形態】
【００２０】
以下、実施の形態に係る画像形成装置及び画像位置調整方法について、図１乃至図１０を参照しながら説明する。尚、各図において同一箇所については同一の符号を付すとともに、重複した説明は省略する。
【００２１】
（一実施の形態）
一実施形態に係る画像形成装置はＭＦＰ（multi function peripheral）である。  
一実施形態に係る画像位置調整方法は自動的にＭＦＰが調整値を変更し、変更後の調整値をテストパターンとともに印刷する方法である。  
調整値とは、プリンタ部がシート面上に画像を形成する位置を変化させるためのパラメータを指す。
【００２２】
図１はＭＦＰの正面図である。図１はＭＦＰ１をフロント側からリア側へ向かう方向で見た正面図を示す。
【００２３】
ＭＦＰ１は本体１０の上部にガラス板１１を有する。ガラス板１１の上にＭＦＰ１はオートマティックドキュメントフィーダ１２を有する。
【００２４】
ＭＦＰ１はメインコントローラ１３等がアクセスする外部記憶装置１４（記憶部）を有する。メインコントローラ１３はＭＦＰ１の全体を制御する。
【００２５】
外部記憶装置１４はハードディスクドライブを用いる。外部記憶装置１４は調整値を記憶する。  
外部記憶装置１４は調整値として余白量、書込み倍率、読込み倍率、搬送速度等を記憶する。  
外部記憶装置１４は、先端余白量、後端余白量、フロント側端余白量、リア側端余白量を記憶する。
【００２６】
先端、後端とはシート搬送方向に対するシートの先端、後端を指す。フロント側端、リア側端とはそれぞれ本体１０のフロント側、リア側を指す。フロント側端、リア側端はそれぞれシート搬送方向に直交する。
【００２７】
書込み倍率とはレーザ露光部１６が画像データをシートに書込むときの倍率を指す。読込み倍率とはスキャナ１７が原稿より原稿画像を読込むときの倍率を指す。搬送速度とはシート搬送部３０のモータの回転速度を指す。
【００２８】
ＭＦＰ１は本体１０の上部に操作パネル１８を有する。操作パネル１８は調整値をユーザ操作により生成する。
【００２９】
操作パネル１８は、複数のキー１９と、ディスプレイ２０と、ドライバ回路２１とを有する。キー１９は操作ボタンである。ディスプレイ２０は対話用の表示画面である。ドライバ回路２１は制御基板である。
【００３０】
ドライバ回路２１はＣＰＵ（central processing unit）、ＲＯＭ（read only memory）、ＲＡＭ（random access memory）からなる。
【００３１】
キー１９はユーザが入力したコマンドや数値をメインコントローラ１３に通知する。ディスプレイ２０はＭＦＰ１の現在の設定情報を表示する。ディスプレイ２０はキー１９へ入力された情報をエコーバックする。
【００３２】
ＭＦＰ１はガラス板１１の下に本体１０内にスキャナ１７を有する。スキャナ１７はオートマティックドキュメントフィーダ１２が送る原稿、又はガラス板１１上に置かれた原稿を読取って画像データを生成する。
【００３３】
ＭＦＰ１はガラス板１１の下方に、第１のキャリッジ２２及び第２のキャリッジ２３を有する。キャリッジ２２、２３は互いに逆向きにガラス板１１の板面に平行に移動する。
【００３４】
キャリッジ２２はミラー２４を有する。キャリッジ２３はミラー２５、２６を有する。ミラー２４は原稿からの反射光をミラー２５へ導く。ミラー２５はミラー２４からの反射光をミラー２６へ導く。
【００３５】
ミラー２６はミラー２５からの反射光をレンズ２７へ導く。レンズ２７はミラー２６からの反射光を、ＣＣＤ（Coupled Charge Device）センサ２８の面上に結像させる。
【００３６】
ＣＣＤセンサ２８は４ラインＣＣＤである。ＣＣＤセンサ２８は３色毎に結像した光ビームをそれぞれ光電変換する。ＣＣＤセンサ２８は、色毎に電荷を所定時間蓄えた後、電荷量情報を色毎に出力する。
【００３７】
ＭＦＰ１はＣＣＤセンサ２８の出力側に接続された画像処理部２９を有する。画像処理部２９は画像データ及びテストパターンデータを生成する。画像処理部２９はスキャナ１７からの３色の画像データから４印刷色へ変換するＬＳＩ（large scale integration）である。
【００３８】
ＭＦＰ１はプリンタ部１５、外部記憶装置１４、操作パネル１８等と接続されたメインコントローラ１３を有する。メインコントローラ１３は調整部及び印刷制御部として機能する。
【００３９】
メインコントローラ１３は操作パネル１８からの入力情報により外部記憶装置１４が記憶する調整値を初期値から、ユーザ入力された値に変更する。メインコントローラ１３は調整値を現在値から、現在値をシフトして得た別の値に変更する。
【００４０】
メインコントローラ１３は、入力値によりシートに対する画像の位置を調整する。メインコントローラ１３は、入力値を表す数値文字列をテストパターンに付加し、数値文字列とともにテストパターンをプリンタ部１５に印刷させる。
【００４１】
メインコントローラ１３はＣＰＵ１３ｃ、ＲＯＭ１３ａ、ＲＡＭ１３ｂを用いる。ＲＯＭ１３ａは制御プログラムを記憶する。ＲＡＭ１３ｂはシステムメモリである。
【００４２】
ＭＦＰ１は本体１０内に高さ方向中央部にプリンタ部１５を有する。
【００４３】
プリンタ部１５は画像処理部２９が出力する印刷データにより、画像あるいはテストパターンをシート上に印刷する。
【００４４】
プリンタ部１５は画像をシートのシート面上に印刷する。プリンタ部１５は画像が印刷される領域と同じ領域にテストパターンを印刷する。
【００４５】
プリンタ部１５は印刷プロセスを実行する。プリンタ部１５は４印刷色データによりそれぞれ４色のレーザ光線を変調する。プリンタ部１５はシートにトナー像を形成する。
【００４６】
ＭＦＰ１は本体１０の下部にシート搬送部３０を有する。シート搬送部３０は複数のカセット３１を有する。各カセット３１はシートを収納する給紙カセットである。各カセット３１のシートサイズは互いに異なる。
【００４７】
シート搬送部３０はシートをプリンタ部１５へ供給する。プリンタ部１５は、スキャナ１７が読取った画像データを処理し、そうして得られた画像をシート上に形成する。
【００４８】
ＭＦＰ１は本体１０の上部に定着器５３を有する。定着器５３はシート上にトナー像を定着させる。定着器５３からのシートをローラ対５４は排紙部３２上へ排出する。
【００４９】
図２はプリンタ部１５の拡大図である。既述の符号はそれらと同じ要素を表す。  
プリンタ部１５は、イエロー（Ｙ）用の画像形成部３３Ｙ、マゼンタ（Ｍ）用の画像形成部３３Ｍ、シアン（Ｃ）用の画像形成部３３Ｃ、ブラック（Ｋ）用の画像形成部３３Ｋを有する。プリンタ部１５はレーザ露光部１６と、ベルト３５とを有する。
【００５０】
画像形成部３３Ｙは、感光体ドラム３６、帯電器３７、現像器３８、一次転写ローラ３９を有する。
【００５１】
感光体ドラム３６は感光体上に潜像を保持する。
【００５２】
帯電器３７は感光体ドラム３６上の感光体を一様に帯電させる。レーザ露光部１６は感光体ドラム３６上に潜像を形成する。
【００５３】
現像器３８は感光体ドラム３６上の潜像を現像する。現像器３８はマグネットローラ及びミキサを有する。
【００５４】
一次転写ローラ３９はモータにより回転する。一次転写ローラ３９はチャージされる。一次転写ローラ３９は感光体ドラム３６上のトナー像をベルト３５に転写する。
【００５５】
ベルト３５は中間転写ベルトである。ベルト３５はエンドレスベルトである。ベルト３５は図中、反時計回りに走行する。
【００５６】
感光体ドラム３６はｔ方向に回る。感光体ドラム３６は露光される位置を有する。露光される位置に、レーザ露光部１６はイエローの波長を持つレーザビームを照射する。感光体ドラム３６は感光体ドラム３６上に静電潜像を形成する。
【００５７】
画像形成部３３Ｙはクリーナ４０を有する。ブレード４１を用いてクリーナ４０は感光体ドラム３６の表面に残留するトナーを除去する。
【００５８】
画像形成部３３Ｍ、３３Ｃ、３３Ｋはそれぞれ画像形成部３３Ｙの構成と実質同じ構成を有する。
【００５９】
ベルト３５は、ローラ４２、４３、４４に巻き掛けられる。ローラ４２は駆動ローラである。ローラ４３、４４はともに従動ローラである。
【００６０】
各一次転写ローラ３９は一次転写電圧を印加される。ベルト３５の各感光体ドラム３６に対向する位置において、各感光体ドラム３６はトナー像をベルト３５に転写する。
【００６１】
プリンタ部１５は二次転写ローラ４５を備える。二次転写ローラ４５はローラ４２と対向する。
【００６２】
ローラ４２及び二次転写ローラ４５間をシートＳが通過する。ローラ４２と二次転写ローラ４５とはシートＳをベルト３５と一緒に挟む。二次転写ローラ４５は二次転写電圧をシートＳに印加する。二次転写ローラ４５はベルト３５上のトナー像をシートＳに転写する。
【００６３】
レーザ露光部１６は、ポリゴンミラー４６、複数のレンズ４７、複数のミラー４８及び各レーザダイオード４９を有する。
【００６４】
ポリゴンミラー４６及び各ミラー４８は、各レーザダイオード４９から出射されたレーザビームを各感光体ドラム３６の軸線方向に走査する。各レンズ４７は各レーザダイオード４９が出力する光ビームを平行にする。
【００６５】
プリンタ部１５はレーザ露光部１６からのレーザビームによって感光体を主走査方向に走査する。
【００６６】
図１のカセット３１から二次転写ローラ４５に至る間に、ＭＦＰ１はローラ対５０、５１、５２を有する。
【００６７】
ローラ対５０はカセット３１内からシートを分離する。ローラ対５１はシートをプリンタ部１５へ導く。ローラ対５２はシートのスキューを補正する。
【００６８】
ＭＦＰ１はシートが搬送される方向で二次転写ローラ４５の下流に定着器５３を有する。定着器５３は、ヒートローラ５３ａと、プレスローラ５３ｂとを有する。定着器５３はシートを排紙部３２上に排出する。
【００６９】
ローラ対５０、５１、５２の各ニップと、ガイド部材と、二次転写ローラ４５と、定着器５３とはシートの搬送経路を定義する。
【００７０】
モータ５５ａ、モータ５５ｂ、二次転写ローラ４５、ローラ４２、ヒートローラ５３ａと、プレスローラ５３ｂと、ローラ対５４と、ガイド部材とはシート搬送部３０を構成する。
【００７１】
モータ５５ａはベルトモータである。モータ５５ｂはフィードモータであり、ローラ対５０、５１、５２を回す。
【００７２】
メインコントローラ１３はスキャナ１７に原稿が差入れられたことを検出する。メインコントローラ１３は印刷ジョブを生成する。メインコントローラ１３はプリンタ部１５を走らせる。
【００７３】
シート搬送部３０はいずれかのカセット３１からシートをピックアップする。シート搬送部３０はシートを搬送経路内に供給する。シート搬送部３０はシートを搬送経路内で、下方から上方へ向けて搬送する。
【００７４】
スキャナ１７が生成した画像データに基づきプリンタ部１５は４つの感光体ドラム３６上に静電潜像を形成する。各現像器３８は各色のトナーを攪拌する。各現像器３８は各感光体ドラム３６にトナーを供給する。静電潜像は可視化される。
【００７５】
各チャージャは各一次転写ローラ３９をチャージする。
【００７６】
ベルト３５のベルト面上に４色のトナー像が移動する。そうして得られたカラートナー像を二次転写ローラ４５はシート上に転写する。
【００７７】
定着器５３はシートを加熱し、シートをプレスする。定着器５３はシート上の４色のトナー像を定着する。定着器５３からのシートを、シート搬送部３０は排紙部３２へ出力する。
【００７８】
図３はＭＦＰ１の制御システムのブロック図である。既述の符号はそれらと同じ要素を表す。
【００７９】
制御システム５６は、バス５７、外部記憶装置１４、スキャナインターフェース５８、プリンタインターフェース５９を有する。
【００８０】
バス５７には制御に使用されるデータが流れる。外部記憶装置１４は画像データ及びテストパターンデータを保存する。
【００８１】
スキャナインターフェース５８は、メインコントローラ１３と、スキャナ制御システム６０との間のデータの入出力をインターフェースする。
【００８２】
スキャナ制御システム６０は、スキャナ１７、オートマティックドキュメントフィーダ１２、ＣＣＤセンサ２８、及びＣＰＵ、ＲＯＭ、ＲＡＭを有する。
【００８３】
プリンタインターフェース５９はメインコントローラ１３とプリント制御システム６１との間のデータの入出力をインターフェースする。
【００８４】
プリント制御システム６１は、プリントエンジン６２、シート搬送部３０、プリンタ部１５、定着器５３、及びＣＰＵ、ＲＯＭ、ＲＡＭを有する。
【００８５】
プリントエンジン６２は、レーザ露光部１６及びレーザ露光部１６用のドライバ回路６２ａを有する。ドライバ回路６２ａは４色のレーザダイオード４９への電流を変調し、各レーザダイオード４９の発光を制御する。
【００８６】
制御システム５６は、画像処理部２９、ネットワークインターフェース６４、外部インターフェース６５を有する。
【００８７】
画像処理部２９はページメモリ６３、ページメモリコントローラ６６を有する。ページメモリ６３はＤＲＡＭを用いる。ページメモリ６３は少なくとも１ページ分の画像データを保持する。
【００８８】
ネットワークインターフェース６４は、メインコントローラ１３と、ＬＡＮ（local area network）との間でデータの入出力をインターフェースする。
【００８９】
外部インターフェース６５には、ＵＳＢ（universal serial bus）インターフェースを有する外部機器が接続される。外部インターフェース６５は、メインコントローラ１３と、例えばＵＳＢメモリとの間でデータを入出力する。
【００９０】
ページメモリコントローラ６６は、ページメモリ６３への複数のアクセスを調停する。アクセスとは、ネットワークインターフェース６４、外部インターフェース６５、画像処理部２９、及び外部記憶装置１４によるアクセスを指す。
【００９１】
ページメモリコントローラ６６は、ページメモリ６３へデータを書込むためのアドレス、ページメモリ６３からデータを読出すためのアドレス、読出し方向などを制御する。ページメモリコントローラ６６はＣＰＵ１３ｃより指令を受ける。
【００９２】
ＣＰＵ１３ｃはページメモリ６３に複数の画像を合成する。ＣＰＵ１３ｃは、印刷出力される画像をレイアウトする。ＣＰＵ１３ｃはＭＦＰ１の動作モードを複数のモードの間で遷移させる。
【００９３】
ＣＰＵ１３ｃは、スキャナインターフェース５８、プリンタインターフェース５９を通じてスキャナ１７及びプリンタ部１５を制御する。
【００９４】
ＲＯＭ１３ａは、画像位置を調整する手順を記述したプログラムを格納する。
【００９５】
ＲＡＭ１３ｂをＣＰＵ１３ｃが作業領域として使用する。ＲＡＭ１３ｂは、操作パネル１８によりユーザ入力された数値及びコマンドを記憶する。ＲＡＭ１３ｂは後述する自動印刷の実行に必要な値を記憶する。
【００９６】
ＲＡＭ１３ｂは、自動印刷の繰返し回数を記憶するためのダウンカウンタ６７を有する。
【００９７】
ＲＡＭ１３ｂはステップ幅記憶部６８を有する。ステップ幅記憶部６８はステップ幅を記憶する。ステップ幅は、自動印刷が繰返されるときの調整値の変化量を指し示す。
【００９８】
ＣＰＵ１３ｃは操作パネル１８からの操作指示を受ける。操作指示とは、印刷設定や、画像位置を変化させるための各種の調整値を設定するときのユーザからの入力を指す。
【００９９】
余白量を例にして調整値について述べる。
【０１００】
シートの先端の余白量を表示することをユーザが操作パネル１８に命令する。ディスプレイ２０は、１２８をセンタ値として０〜２５５の範囲の余白量の値を設定する。０〜２５５は操作パネル１８による表示値である。
【０１０１】
０〜２５５のうち、例えば１０あるいは２０はステップ幅を指す表示値である。表示値０は余白量の真値の最小値を表す。表示値２５５は余白量の真値の最大値を表す。
【０１０２】
表示値１２８は２５６個の表示値のうちのセンタ値である。ＣＰＵ１３ｃは余白量の最大値及び最小値の差分を求める。ＣＰＵ１３ｃは差分を等しい間隔で分割し、２５６個の表示値を得る。
【０１０３】
ステップ幅が１０であるとき、１１８あるいは１３８はセンタ値１２８からシフトしたシフト値である。ステップ幅が２０であるとき、１０８あるいは１４８はセンタ値１２８からシフトしたシフト値である。
【０１０４】
メインコントローラ１３は、ステップ幅１０を操作パネル１８から取得する。メインコントローラ１３は余白量の現在値に変化量を加算して得た加算値と、現在値から変化量を減算して得た減算値とを求める。
【０１０５】
メインコントローラ１３は数値文字列を、テストパターンとともに印刷出力する。数値文字列とは、加算値あるいは減算値を示す数値それ自身と、数値の内容を示す文字列とを指す。
【０１０６】
本実施形態に係る画像位置調整方法は、サービスマンが画像位置を調整する際の方法である。
【０１０７】
メインコントローラ１３は、現在設定されている調整値とは異なる調整値を自動的に設定し、そうして設定した調整値の値それ自身とテストパターンとをプリンタ部１５にシート上に印刷させる。
【０１０８】
上述の構成を有するＭＦＰ１をサービスマンは導入する。サービスマンはシートに対する画像の位置を調整し始める。
【０１０９】
サービスマンは、マニュアルを参照し、キー１９に複数桁のコードを打込む。ＭＦＰ１に処理手順を１つずつ実行させる。
【０１１０】
シートを一枚印刷する毎に先端余白量を操作パネル１８により変更する方法について述べる。
【０１１１】
図４Ａはテストパターンを印刷されたシート自体を示す図である。図４Ｂは図４Ａのシート上のテストパターンを説明するための図である。図４Ａ、図４Ｂにおいて、左方から右方への方向がシート搬送方向を表す。数値文字列の位置は一例である。
【０１１２】
テストパターン７３が上にあるシートＳが印刷される。画像データの形成と実質同じようにしてプリンタ部１５はテストパターン７３をシート上に形成する。シートＳは先端６９、リア側の端７０、後端７１、フロント側の端７２を有する。
【０１１３】
テストパターン７３は一例として格子模様である。テストパターン７３は、画像の倍率や印刷された画像の位置を人が確認するためのパターンである。確認とは目によるチェックである。
【０１１４】
重要な点は、ＭＦＰ１は、テストパターン７３に加え、それぞれ調整値を示す複数の数値７４と、各数値７４に対応する文字列７５とを印刷する点である。
【０１１５】
各数値７４は、印刷あるいは後述する自動印刷により変更された調整値のみならず、他の画像位置の調整に関連する調整値も含む。
【０１１６】
メインコントローラ１３は、余白量に対し、操作パネル１８が入力した値により現在の値を変更し、加算値及び減算値を算出する。メインコントローラ１３は画像の位置を調整し、数値文字列をテストパターンとともに印刷出力する。
【０１１７】
メインコントローラ１３は、変化量の値の変更、値の算出、画像位置の調整、及び印刷出力を一手順とする処理を複数回繰返す。
【０１１８】
サービスマンは、印刷された複数枚の印刷結果を見比べる。複数枚のシートの中から、期待される位置に画像が載っているシートをサービスマンが選ぶ。サービスマンはシート上の調整値をＭＦＰ１に設定する。
【０１１９】
期待される位置に画像が載っているシートが無い場合、それぞれ期待される位置に近い位置に画像が載っている２枚のシートをサービスマンは選ぶ。
【０１２０】
サービスマンは２つのシート上の各調整値の中間の値を求める。そうして求めた値をＭＦＰ１にサービスマンは設定する。
【０１２１】
メインコントローラ１３は印刷出力されるテストパターン内に、画像位置の調整に関連する調整値を全て記載する。まさに印刷されようとするときの調整値を容易にサービスマンは確認することができる。  
以下、ＭＦＰ１が複数枚のシートを自動印刷する動作について説明する。
【０１２２】
最初に、メインコントローラ１３は、ＭＦＰ１のモードを印刷モード又はレディモードから調整モード（画像位置調整モード）に遷移させる。調整モードとは、シートに対する画像位置をユーザが調整するためのモードを指す。
【０１２３】
（１）手順をメインコントローラ１３が１回実行する。  
図５は１つの調整値を調整するときの自動印刷の処理手順の例を示すフローチャートである。  
アクトＪ１において、ユーザは、対象とする調整値を、操作パネル１８から選択する。
【０１２４】
一例として、シート先端の余白量を操作パネル１８は入力される。１２８をセンタ値として０〜２５５の範囲の表示値をディスプレイ２０は表示する。ディスプレイ２０はユーザにステップ幅の入力を促す。
【０１２５】
メインコントローラ１３による制御は、表示値１ステップにつき、余白量約０．０４ミリメートルを増やす又は減らす制御である。表示値が小さいほど余白量がより少ない。表示値が大きいほど余白量がより多い。  
入力できる値の範囲、初期値、値１ステップあたりの変化量、値と余白量との関係は、この限りでは無い。
【０１２６】
アクトＪ２において、操作パネル１８は、例えばステップ幅１０を受ける。操作パネル１８は繰返し回数１を受ける。繰返し回数は加算及び減算の２つの結果を出力することを１回と数える。  
メインコントローラ１３は、実行プログラムの処理実行回数ｉを０に設定する。処理実行回数とは印刷枚数の累積枚数を指す。ｉは設定回数よりも小さい自然数を表す。
【０１２７】
アクトＪ３において、メインコントローラ１３は、取得した調整値を保存する。ＭＦＰ１は調整後の印刷結果を確認するためにテストパターンを印刷することを可能にされる。
【０１２８】
ＭＦＰ１は、テストパターンの印刷に加えて、調整値を自動的に変更し、変更後の調整値をテストパターンとともにシートに印刷することを可能にされる。  
以下、画像位置の調整用の自動印刷を自動印刷と呼ぶ。メインコントローラ１３は自動印刷を実行する。  
引き続き、アクトＪ４において、メインコントローラ１３は、現在の調整値をテストパターンとともに印刷する。
【０１２９】
図６（Ａ）は現在の先端余白量の値が１２８である場合の印刷出力を示す図である。  
続いてアクトＪ５において、処理実行回数ｉが繰返し回数に達したかどうかをメインコントローラ１３は判定する。  
処理実行回数ｉが繰返し回数に達していない場合、アクトＪ５において、ＹＥＳルートを通り、アクトＪ６において、メインコントローラ１３は現在の調整値から、ユーザ設定されたステップ幅に対応する値を減算する。  
アクトＪ７において、メインコントローラ１３は、現在の調整値をテストパターンとともに印刷する。
【０１３０】
図６（Ｂ）は先端余白量の値が１１８である場合の印刷出力を示す図である。  
引き続きアクトＪ８において、メインコントローラ１３は現在の調整値に、ユーザ設定されたステップ幅に対応する値を加算する。
【０１３１】
アクトＪ９において、メインコントローラ１３は、現在の調整値をテストパターンとともに印刷する。
【０１３２】
図６（Ｃ）は先端余白量の値が１３８である場合の印刷出力を示す図である。  
アクトＪ１０において、メインコントローラ１３は処理実行回数ｉを１増やす。  
再度メインコントローラ１３はアクトＪ５の処理を実行する。  
アクトＪ５において処理実行回数ｉが繰返し回数に達した場合、アクトＪ５において、ＮＯルートを通り、メインコントローラ１３はアクトＪ１１において、調整値を初期値に戻す。
【０１３３】
図６（Ａ）から図６（Ｃ）に示されように、先端余白量１２８の値を持つシートと、先端余白量に１０加算された値を持つシートと、先端余白量から１０減算された値を持つシートとの３枚が得られる。
【０１３４】
３枚の印刷結果をサービスマンは目で比べる。サービスマンは３枚のうち、先端余白量が所望する距離であるシートを選ぶ。サービスマンは操作パネル１８から例えば数値１３８を打込む。
【０１３５】
このように、先端余白量に１３８をメインコントローラ１３は設定する。  
また、図５の自動印刷において、繰返し回数が一増える毎にステップ幅を１０ずつ増大させたが、メインコントローラ１３は、繰返し回数が一増える毎に、ステップ幅を現在のステップ幅の２倍、即ち２０、に増大させてもよい。
【０１３６】
図７（Ａ）から図７（Ｃ）に、２倍のステップ幅を有するときの余白量の調整値の印刷出力の例を示す。先端余白量１２８の値を持つシートと、先端余白量に２０加算された値を持つシートと、先端余白量から２０減算された値を持つシートとの３枚が得られる。
【０１３７】
繰返し回数が１増える毎にステップ幅をどの程度増やすかに関しては、メインコントローラ１３は種々の倍数を選択してもよい。ステップ幅は３倍又は３倍を超える数でもよい。ステップ幅は分数倍でもよい。
【０１３８】
また、メインコントローラ１３は、ＭＦＰ１はステップ幅を表示値１又は２ずつ加算してもよい。
【０１３９】
いずれのステップ幅が設定されても、メインコントローラ１３は調整値をステップ幅分だけ加算しあるいは減算して設定し直す。
【０１４０】
また、自動印刷によりメインコントローラ１３は、後端余白量、フロント側端余白量、及びリア側端余白量のうちのいずれかを調整してもよい。
【０１４１】
書込み倍率、読込み倍率、搬送速度のいずれかをメインコントローラ１３は調整してもよい。
【０１４２】
（２）手順をメインコントローラ１３が２回実行する。  
図５のアクトＪ２において操作パネル１８はユーザ入力として"２"を受付けてもよい。  
一例として、ＭＦＰ１は次の３つが成立すると自動印刷を開始する。
【０１４３】
（ｉ）アクトＪ２にてシート先端の余白量の調整値のみを対象として操作パネル１８が選択すること。  
（ｉｉ）自動印刷の開始前の調整値が１２８であること。  
（ｉｉｉ）アクトＪ３において、メインコントローラ２６がステップ幅として１０を設定し、繰返し回数として値２を設定すること。  
ＭＦＰ１は、最初に調整値１２８で印刷出力する。次に、調整値１１８でＭＦＰ１は印刷出力する。次に、ＭＦＰ１は調整値１３８で印刷出力する。
【０１４４】
繰返し回数が２回である場合、ＭＦＰ１はステップ幅１０を２倍して２０に設定する。再度、ＭＦＰ１は１２８から２０を引いた１０８と、１２８に２０を足した１４８とを用いて印刷出力する。印刷後、ＭＦＰ１は調整値を初期値の１２８に戻して処理を終える。
【０１４５】
調整値が１０８、１１８、１２８、１３８、１４８の計５枚のテストパターンが印刷される。
【０１４６】
サービスマンは印刷結果の５枚を見比べる。
【０１４７】
調整値１１８を持つ余白量が期待される余白量と一致する。サービスマンは調整値として１１８を設定する。
【０１４８】
期待される余白量が、調整値１２８と調整値１３８とのちょうど中間値あたりの値を持つ場合、サービスマンは１３３付近の値を設定する。
【０１４９】
（３）複数の調整値を複数枚のシートに自動印刷
（１）、（２）においては、シート先端の余白量だけを変更してＭＦＰ１は印刷した。複数の調整値を予めユーザはＭＦＰ１に入力してもよい。
【０１５０】
図８は２つの調整値を調整するときの自動印刷の処理手順の例を示すフローチャートである。メインコントローラ１３が手順を実行する。
【０１５１】
メインコントローラ１３による制御の内容は、先端余白量及び後端余白量を同時に変更しながら、設定された繰返し回数だけ印刷動作を繰返す制御である。
【０１５２】
メインコントローラ１３は自動印刷を開始する。  
メインコントローラ１３は処理実行回数ｉを０に初期化する（アクトＳ１）。
【０１５３】
メインコントローラ１３は操作パネル１８に指令し、操作パネル１８は自動印刷の対象とする調整値を選択することをユーザに促す（アクトＳ２）。操作パネル１８は調整値の種別を表示する（アクトＳ２）。ユーザに入力を操作パネル１８は促し、操作パネル１８は入力を待つ（アクトＳ２）。
【０１５４】
操作パネル１８は先端余白量及び後端余白量の入力を受付ける（アクトＳ３）。入力例は次の通り、即ち、先端余白量のステップ幅は１０、繰返し回数は１、後端余白量のステップ幅は１０及び繰返し回数は１。
【０１５５】
操作パネル１８に値のステップ幅と繰返し回数とが入力される。メインコントローラ１３は現在の調整値をそれぞれ取得する（アクトＳ４）。例えば先端余白量１２８、及び後端余白量１３０をメインコントローラ１３は得る。
【０１５６】
メインコントローラ１３は現在の調整値をそれぞれ初期値として外部記億装置１４に保存する（アクトＳ５）。  
次に、現在の調整値のまま、メインコントローラ１３はテストパターンを現在設定されている調整値とともに印刷する（アクトＳ６）。
【０１５７】
図９（Ａ）は現在の先端余白量及び後端余白量の印刷出力を示す図である。
【０１５８】
引き続き、処理実行回数ｉが繰返し回数よりも小さいかどうかをメインコントローラ１３は判断する（アクトＳ７）。
【０１５９】
より小さい揚合、アクトＳ７でＹＥＳルートを通り、メインコントローラ１３は、現在の各調整値から各ステップ幅を減算する（アクトＳ８）。メインコントローラ１３は得られた２種類の値を各調整値として新たに設定する（アクトＳ８）。
【０１６０】
メインコントローラ１３は各調整値とともにテストパターンを印刷する（アクトＳ９）。
【０１６１】
図９（Ｂ）は先端余白量の減算値及び後端余白量の減算値の各印刷出力を示す図である。
【０１６２】
その後、メインコントローラ１３は保存された２種類の初期値を取得する（アクトＳ１０）。メインコントローラ１３は、各初期値と、各ステップ幅とを加算する（アクトＳ１０）。メインコントローラ１３は得られた２種類の値を各調整値として新たに設定する（アクトＳ１０）、
メインコントローラ１３は各調整値とともにテストパターンを印刷する（アクトＳ１１）。
【０１６３】
図９（Ｃ）は先端余白量の加算値及び後端余白量の加算値の各印刷出力を示す図である。
【０１６４】
印刷が終了したら、メインコントローラ１３はステップ幅を２倍する（アクトＳ１２）。更にメインコントローラ１３は処理実行回数に１を加える（アクトＳ１３）。
【０１６５】
メインコントローラ１３による処理はアクトＳ７の処理を実行する。アクトＳ７からアクトＳ１３に至る処理をメインコントローラ１３は繰返す。
【０１６６】
図１０（Ａ）、図１０（Ｂ）はそれぞれ図９（Ａ）のステップ幅に対して２倍のステップ幅を有するシートの印刷出力を示す図である。
【０１６７】
再度、アクトＳ７において、処理実行回数ｉが繰返し回数よりもより大きいかどうかをメインコントローラ１３は判定する。
【０１６８】
処理実行回数ｉが繰返し回数よりもより大きい。アクトＳ７においてＮＯルートを通り、メインコントローラ１３はアクトＳ５において保存した初期値を取得する（アクトＳ１４）。
【０１６９】
メインコントローラ１３は、調整値を自動印刷を開始したときの初期値（アクトＳ５の初期値）に設定し直す（アクトＳ１４）。メインコントローラ１３は処理を終える。
【０１７０】
メインコントローラ１３は、２つの調整値に対して一度に値を設定できる。ＭＦＰ１は画像位置を一度に調整することもできる。
【０１７１】
先端余白量、後端余白量、フロント側端余白量、リア側端余白量、書込み倍率、読込み倍率、及び搬送速度等のうち、いずれか２種類を適宜組合わせてメインコントローラ１３は調整してもよい。
【０１７２】
先端余白量、後端余白量、フロント側端余白量、リア側端余白量、書込み倍率、読込み倍率、及び搬送速度等のうち、いずれか２種類を超える種類のパラメータを適宜組合わせてメインコントローラ１３は調整してもよい。
【０１７３】
一枚のシートは異なる調整値を示す。シートの無駄を省くことができる。画像位置の調整にかかる時間を短縮することが可能となる。
【０１７４】
複数の調整値を同時に変更することが可能であるため、調整の手間を更に軽減できると同時に、紙を無駄に使い過ぎることも無くなる。
【０１７５】
複数のＭＦＰ１を導入する場合、各ＭＦＰ１毎に、複数の調整値のそれぞれの適切値は異なる。
【０１７６】
ＭＦＰ１によれば、ＭＦＰ１の個体差によって生じる調整の手間を軽減することができる。調整時間を短縮できる。
【０１７７】
（変形例）
上記実施形態において、メインコントローラ１３は余白量と異なる調整値を設定してもよい。例えば以下の（ａ）から（ｆ）の調整値をメインコントローラ１３は設定する。
【０１７８】
（ａ）読込み倍率
自動印刷によりメインコントローラ１３は読込み倍率を調整してもよい。  
基準サイズを持つ原稿をサービスマンがガラス板１１上に置く。操作パネル１８はスキャナ１７を走らせて原稿を読込ませる。
【０１７９】
外部記憶装置１４は基準シート幅及び基準シート長を保持する。メインコントローラ１３は基準サイズ情報と、スキャナ１７が出力するサイズ情報とを比較し、スキャナ１７による読込み倍率を補正する。
【０１８０】
操作パネル１８は０〜２５５の範囲の読込み倍率の表示値を設定する。メインコントローラ１３は、ユーザ入力されたステップ幅を取得する。メインコントローラ１３は現在の読込み倍率から入力された読込み倍率に変更する。
【０１８１】
メインコントローラ１３は読込み倍率の調整値をテストパターンとともに印刷出力する。メインコントローラ１３は読込み倍率をステップ幅分だけ加算しあるいは減算し、加算あるいは減算して得られた読込み倍率を設定する。
【０１８２】
（ｂ）書込み倍率
自動印刷によりメインコントローラ１３は書込み倍率を調整してもよい。  
メインコントローラ１３はポリゴンミラー４６のミラー面毎にレーザビームの書出しタイミングを合わせ、副走査方向のビーム書出し位置を補正する。主走査方向のビーム書出し位置を、メインコントローラ１３は同期信号により補正する。
【０１８３】
書込み倍率は、ポリゴンミラー４６の回転速度と、感光体ドラム３６の回転速度とにより決まる調整値である。
【０１８４】
操作パネル１８は各回転速度を変えるための０〜２５５の範囲の一つの表示値を表示する。メインコントローラ１３は、ユーザ入力されたステップ幅を取得する。メインコントローラ１３は現在の書込み倍率から入力された書込み倍率に変更する。
【０１８５】
メインコントローラ１３は書込み倍率の調整値をテストパターンとともに印刷出力する。メインコントローラ１３は書込み倍率をステップ幅分だけ加算しあるいは減算し、加算あるいは減算して得られた書込み倍率を設定する。
【０１８６】
書込み倍率により、レーザ露光部１６は原稿画像を拡大し、又は縮小する。
【０１８７】
（ｃ）搬送速度
自動印刷によりメインコントローラ１３は、シート搬送部３０によるシートの搬送速度を調整してもよい。  
外部記憶装置１４は、モータ５５ａ、モータ５５ｂ、一次転写ローラ３９のモータの回転速度の値を記憶する。メインコントローラ１３は各回転速度値によりモータ５５ａ、モータ５５ｂ等の駆動を制御する。
【０１８８】
操作パネル１８は、０〜２５５の範囲の搬送速度の表示値を設定する。メインコントローラ１３はユーザ入力されたステップ幅を取得する。
【０１８９】
メインコントローラ１３は現在の搬送速度から入力された搬送速度に変更する。メインコントローラ１３は、変更後の搬送速度により画像の大きさを調整する。
【０１９０】
メインコントローラ１３は給紙のスピード、転写のスピードをずらし、印刷プロセス速度を変化させる。メインコントローラ１３は画像の位置を調整する。
【０１９１】
（ｄ）感光体ドラム３６の温度
自動印刷によりメインコントローラ１３は、感光体ドラム３６のドラム表面の温度を調整してもよい。
プリンタ部１５は、各感光体ドラム３６の表面から離れて環境センサ７６を有する。各環境センサ７６は、各ドラム表面の環境温度及び環境湿度を検出する。
【０１９２】
操作パネル１８は、０〜２５５の範囲内で温度の表示値を設定する。メインコントローラ１３はユーザ入力されたステップ幅を取得する。メインコントローラ１３は現在の温度から入力された温度に変更する。
【０１９３】
メインコントローラ１３は温度の調整値をテストパターンとともに印刷出力する。メインコントローラ１３は温度をステップ幅分だけ加算しあるいは減算し、加算あるいは減算して得られた温度を設定する。
【０１９４】
メインコントローラ１３は、環境センサ７６の出力により、各感光体ドラム３６の伸び縮みの大きさに応じた大きさを持つ変化量を補正する。
【０１９５】
例えばチャージャのバイアス値をメインコントローラ１３は変化させる。ドラムヒータのヒート時間やヒート温度をメインコントローラ１３は変化させる。
【０１９６】
環境センサ７６が検出する環境湿度を用いて、メインコントローラ１３は環境温度の設定の例と実質同様に、値を調整する。
【０１９７】
（ｅ）ベルト３５の温度
自動印刷によりメインコントローラ１３は、ベルト３５のベルト表面の温度を調整してもよい。  
プリンタ部１５は、ベルト３５のベルト面から離れて環境センサ７７を有する。環境センサ７７は、ベルト面の環境温度及び環境湿度を検出する。
【０１９８】
感光体ドラム３６の例と実質同様に、メインコントローラ１３は温度の調整値をテストパターンとともに印刷出力する。
【０１９９】
メインコントローラ１３は、環境センサ７７の出力により、ベルト３５の伸び縮みの大きさに応じた大きさを持つ変化量を補正する。例えば一次転写ローラ３９のバイアス値をメインコントローラ１３は変化させる。
【０２００】
（ｆ）定着器５３出力のシート長
自動印刷によりメインコントローラ１３は定着器５３が出力するシートのシート長の変化に応じて画像位置を調整してもよい。  
熱によってシートの水分は蒸発する。温度や湿度により定着器５３は伸びたシート又は縮んだシートを出力することがある。
【０２０１】
定着器５３は、環境センサ７８を有する。環境センサ７８は、ヒートローラ５３ａ付近の環境温度及び環境湿度を検出する。
【０２０２】
操作パネル１８は０〜２５５の範囲内で温度の表示値を設定する。メインコントローラ１３はユーザ入力されたステップ幅を取得する。メインコントローラ１３は現在の温度から入力された温度に変更する。
【０２０３】
メインコントローラ１３は温度の調整値をテストパターンとともに印刷出力する。メインコントローラ１３は温度をステップ幅分だけ加算しあるいは減算し、加算あるいは減算して得られた温度を設定する。
【０２０４】
メインコントローラ１３は、環境センサ７８の出力により、定着器５３により定着を実行されたシートの伸び縮みの大きさに応じた大きさを持つ変化量を補正する。
【０２０５】
メインコントローラ１３は環境センサ７６が検出した環境湿度を用いて、環境温度の設定の例と実質同様に値を調整する。
【０２０６】
それぞれ値を変化させる対象の複数の調整値を同時に調整することができる。調整の手間が省かれる。
【０２０７】
（他の実施形態）
上記実施形態では、画像形成装置としてモノクロプリンタあるいはコピーマシンであっても構わない。
メインコントローラ１３は数値文字列の位置を種々変更してもよい。
【０２０８】
メインコントローラ１３はテストパターンを種々変更してもよい。例えばシート面全部を黒やグレーにより塗られるというチャートをテストパターンは用いてもよい。
【０２０９】
尚、本発明は上記実施形態そのままに限定されるものではなく、実施段階ではその要旨を逸脱しない範囲で構成要素を変形して具体化できる。
【０２１０】
また、上記実施形態に開示されている複数の構成要素の適宜な組み合わせにより、種々の発明を形成できる。例えば、実施形態に示される全構成要素から幾つかの構成要素を削除してもよい。
【符号の説明】
【０２１１】
１…ＭＦＰ（画像形成装置）、１０…本体、１１…ガラス板、１２…オートマティックドキュメントフィーダ、１３…メインコントローラ（調整部及び印刷制御部）、１３ａ…ＲＯＭ、１３ｂ…ＲＡＭ、１３ｃ…ＣＰＵ、１４…外部記憶装置（記憶部）、１５…プリンタ部、１６…レーザ露光部、１７…スキャナ、１８…操作パネル、１９…キー、２０…ディスプレイ、２１…ドライバ回路、２２，２３…キャリッジ、２４，２５，２６…ミラー、２７…レンズ、２８…ＣＣＤセンサ、２９…画像処理部、３０…シート搬送部、３１…カセット、３２…排紙部、３３Ｙ，３３Ｍ，３３Ｃ，３３Ｋ…画像形成部、３５…ベルト、３６…感光体ドラム、３７…帯電器、３８…現像器、３９…一次転写ローラ、４０…クリーナ、４１…ブレード、４２，４３，４４…ローラ、４５…二次転写ローラ、４６…ポリゴンミラー、４７…レンズ、４８…ミラー、４９…レーザダイオード、５０，５１，５２，５４…ローラ対、５３…定着器、５３ａ…ヒートローラ、５３ｂ…プレスローラ、５５ａ，５５ｂ…モータ、５６…制御システム、５７…バス、５８…スキャナインターフェース、５９…プリンタインターフェース、６０…スキャナ制御システム、６１…プリント制御システム、６２…プリントエンジン、６２ａ…ドライバ回路、６３…ページメモリ、６４…ネットワークインターフェース、６５…外部インターフェース、６６…ページメモリコントローラ、６７…ダウンカウンタ、６８…ステップ幅記憶部、６９…先端、７０…リア側端、７１…後端、７２…フロント側端、７３…テストパターン、７４…数値、７５…文字列、７６，７７，７８…環境センサ。
【図１】
2011042172.tif 000003
【図２】
2011042172.tif 000004
【図３】
2011042172.tif 000005
【図４Ａ】
2011042172.tif 000006
【図４Ｂ】
2011042172.tif 000007
【図５】
2011042172.tif 000008
【図６】
2011042172.tif 000009
【図７】
2011042172.tif 000010
【図８】
2011042172.tif 000011
【図９】
2011042172.tif 000012
【図１０】
2011042172.tif 000013